【手続補正書】
【提出日】平成18年9月29日(2006.9.29)
【手続補正１】
【補正対象書類名】特許請求の範囲
【補正対象項目名】全文
【補正方法】変更
【補正の内容】
【特許請求の範囲】
【請求項１】
電子機器に装着される部位の形状が前記電子機器に装着される記憶媒体の規格に準拠する筐体に格納される情報処理装置において、
前記規格に準拠し、前記電子機器と接続する接続手段と、
前記規格に準拠し、前記接続手段を介して自分が装着されている前記電子機器から送信されてきた第１のコンテンツデータを受信する通信手段と、
受信した前記第１のコンテンツデータを記憶する記憶手段と、
前記記憶手段に記憶されている送信設定データに基づいて、ネットワークを介して、記憶されている前記第１のコンテンツデータを他の情報処理装置に送信する送信手段と
を含むことを特徴とする情報処理装置。
【請求項２】
前記第１のコンテンツデータに関連する情報を含むメタデータを生成する生成手段をさらに含み、
前記記憶手段は、さらに前記メタデータを記憶し、
前記送信手段は、さらに前記メタデータを送信する
ことを特徴とする請求項１に記載の情報処理装置。
【請求項３】
前記電子機器の使用状態または使用環境を検出するセンサをさらに含み、
前記生成手段は、前記センサにより出力されたセンサデータに基づいて、前記メタデータを生成する
ことを特徴とする請求項２に記載の情報処理装置。
【請求項４】
画像データである前記第１のコンテンツデータを画像処理する画像処理手段をさらに含む
ことを特徴とする請求項１に記載の情報処理装置。
【請求項５】
前記画像処理手段は、前記画像データである前記第１のコンテンツデータの画像の寸法を所定の寸法に変更する
ことを特徴とする請求項４に記載の情報処理装置。
【請求項６】
前記画像処理手段は、さらに前記情報処理装置の内部情報を画像データの方式に変換し、
前記記憶手段は、さらに画像データの方式に変換された前記内部情報を記憶する
ことを特徴とする請求項４に記載の情報処理装置。
【請求項７】
前記電子機器の使用状態または使用環境を検出するセンサをさらに含み、
前記画像処理手段は、前記センサにより出力されたセンサデータに基づいて、前記画像データである前記第１のコンテンツデータを画像処理する
ことを特徴とする請求項４に記載の情報処理装置。
【請求項８】
前記ネットワークを介して、前記他の情報処理装置から第２のコンテンツデータを受信する受信手段をさらに含み、
前記記憶手段は、さらに前記第２のコンテンツデータを記憶する
ことを特徴とする請求項１に記載の情報処理装置。
【請求項９】
前記電子機器の使用状態または使用環境を検出するセンサをさらに含み、
前記送信手段は、前記ネットワークを介して、前記他の情報処理装置に前記センサにより出力されたセンサデータをさらに送信し、
前記受信手段は、前記ネットワークを介して、前記他の情報処理装置から前記センサデータに関連する関連情報をさらに受信し、
前記関連情報に基づいて、前記第１のコンテンツデータに関連する情報を含むメタデータを生成する生成手段をさらに含み、
前記記憶手段は、さらに前記メタデータを記憶する
ことを特徴とする請求項８に記載の情報処理装置。
【請求項１０】
電子機器に装着される部位の形状が前記電子機器に装着される記憶媒体の規格に準拠する筐体に格納され、前記規格に準拠し前記電子機器と接続する接続手段を有する情報処理装置の情報処理方法において、
前記規格に準拠し、前記接続手段を介して自分が装着されている前記電子機器から送信されてきたコンテンツデータの受信を制御する受信制御ステップと、
受信した前記コンテンツデータの記憶を制御する記憶制御ステップと、
記憶されている送信設定データに基づいて、ネットワークを介した、記憶されている前記コンテンツデータの他の情報処理装置への送信を制御する送信制御ステップと
を含むことを特徴とする情報処理方法。
【請求項１１】
電子機器に装着される部位の形状が前記電子機器に装着される記憶媒体の規格に準拠する筐体に格納され、前記規格に準拠し前記電子機器と接続する接続手段を有する情報処理装置の情報処理用のプログラムであって、
前記規格に準拠し、前記接続手段を介して自分が装着されている前記電子機器から送信されてきたコンテンツデータの受信を制御する受信制御ステップと、
受信した前記コンテンツデータの記憶を制御する記憶制御ステップと、
記憶されている送信設定データに基づいて、ネットワークを介した、記憶されている前記コンテンツデータの他の情報処理装置への送信を制御する送信制御ステップと
を含むことを特徴とするコンピュータが読み取り可能なプログラムが記録されている記録媒体。
【請求項１２】
電子機器に装着される部位の形状が前記電子機器に装着される記憶媒体の規格に準拠する筐体に格納され、前記規格に準拠し前記電子機器と接続する接続手段を有する情報処理装置のコンピュータに、情報処理を行なわせるプログラムであって、
前記規格に準拠し、前記接続手段を介して自分が装着されている前記電子機器から送信されてきたコンテンツデータの受信を制御する受信制御ステップと、
受信した前記コンテンツデータの記憶を制御する記憶制御ステップと、
記憶されている送信設定データに基づいて、ネットワークを介した、記憶されている前記コンテンツデータの他の情報処理装置への送信を制御する送信制御ステップと
を含むことを特徴とするプログラム。
【請求項１３】
電子機器に装着される部位の形状が前記電子機器に装着される記憶媒体の規格に準拠する筐体に格納される情報処理装置において、
前記規格に準拠し、前記電子機器と接続する接続手段と、
前記規格に準拠し、前記接続手段を介して自分が装着されている前記電子機器から送信されてきた第１のコンテンツデータを受信する通信手段と、
ネットワークを介して、他の情報処理装置から送信されてくる、第２のコンテンツデータを受信する受信手段と、
受信した前記第１のコンテンツデータおよび前記第２のコンテンツデータを記憶する記憶手段と
を含むことを特徴とする情報処理装置。
【請求項１４】
画像データである前記第２のコンテンツデータの画像の寸法を所定の寸法に変更する画像処理手段をさらに含む
ことを特徴とする請求項１３に記載の情報処理装置。
【請求項１５】
電子機器に装着される部位の形状が前記電子機器に装着される記憶媒体の規格に準拠する筐体に格納され、前記規格に準拠し前記電子機器と接続する接続手段を有する情報処理装置の情報処理方法において、
前記規格に準拠し、前記接続手段を介して自分が装着されている前記電子機器から送信されてきた第１のコンテンツデータの受信を制御する第１の受信制御ステップと、
ネットワークを介して、他の情報処理装置から送信されてくる、第２のコンテンツデータの受信を制御する第２の受信制御ステップと、
受信した前記第１のコンテンツデータおよび前記第２のコンテンツデータの記憶を制御する記憶制御ステップと
を含むことを特徴とする情報処理方法。
【請求項１６】
電子機器に装着される部位の形状が前記電子機器に装着される記憶媒体の規格に準拠する筐体に格納され、前記規格に準拠し前記電子機器と接続する接続手段を有する情報処理装置の情報処理用のプログラムであって、
前記規格に準拠し、前記接続手段を介して自分が装着されている前記電子機器から送信されてきた第１のコンテンツデータの受信を制御する第１の受信制御ステップと、
ネットワークを介して、他の情報処理装置から送信されてくる、第２のコンテンツデータの受信を制御する第２の受信制御ステップと、
受信した前記第１のコンテンツデータおよび前記第２のコンテンツデータの記憶を制御する記憶制御ステップと
を含むことを特徴とするコンピュータが読み取り可能なプログラムが記録されている記録媒体。
【請求項１７】
電子機器に装着される部位の形状が前記電子機器に装着される記憶媒体の規格に準拠する筐体に格納され、前記規格に準拠し前記電子機器と接続する接続手段を有する情報処理装置のコンピュータに、情報処理を行なわせるプログラムであって、
前記規格に準拠し、前記接続手段を介して自分が装着されている前記電子機器から送信されてきた第１のコンテンツデータの受信を制御する第１の受信制御ステップと、
ネットワークを介して、他の情報処理装置から送信されてくる、第２のコンテンツデータの受信を制御する第２の受信制御ステップと、
受信した前記第１のコンテンツデータおよび前記第２のコンテンツデータの記憶を制御する記憶制御ステップと
を含むことを特徴とするプログラム。
【手続補正２】
【補正対象書類名】明細書
【補正対象項目名】００２０
【補正方法】削除
【補正の内容】
【手続補正３】
【補正対象書類名】明細書
【補正対象項目名】００２７
【補正方法】削除
【補正の内容】
【手続補正４】
【補正対象書類名】明細書
【補正対象項目名】００２８
【補正方法】削除
【補正の内容】
【手続補正５】
【補正対象書類名】明細書
【補正対象項目名】００２９
【補正方法】削除
【補正の内容】
【手続補正６】
【補正対象書類名】明細書
【補正対象項目名】００３０
【補正方法】削除
【補正の内容】
【手続補正７】
【補正対象書類名】明細書
【補正対象項目名】００３１
【補正方法】削除
【補正の内容】
【手続補正８】
【補正対象書類名】明細書
【補正対象項目名】００３３
【補正方法】削除
【補正の内容】
【手続補正９】
【補正対象書類名】明細書
【補正対象項目名】００３９
【補正方法】削除
【補正の内容】
【手続補正１０】
【補正対象書類名】明細書
【補正対象項目名】００４１
【補正方法】削除
【補正の内容】
【手続補正１１】
【補正対象書類名】明細書
【補正対象項目名】００５７
【補正方法】削除
【補正の内容】
【手続補正１２】
【補正対象書類名】明細書
【補正対象項目名】００５８
【補正方法】削除
【補正の内容】
【手続補正１３】
【補正対象書類名】明細書
【補正対象項目名】００５９
【補正方法】削除
【補正の内容】
【手続補正１４】
【補正対象書類名】明細書
【補正対象項目名】００６０
【補正方法】削除
【補正の内容】
【手続補正１５】
【補正対象書類名】明細書
【補正対象項目名】００６８
【補正方法】削除
【補正の内容】
【手続補正１６】
【補正対象書類名】図面
【補正対象項目名】図６
【補正方法】変更
【補正の内容】
【図６】
2005252552.tif 000001